【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
撮像手段によって撮像される撮像画像に重畳情報を重畳する重畳モードを設定するためのパラメータを設定装置から受信する受信手段と、
前記撮像画像の表示画面上での所定位置に前記重畳情報を重畳する第１の重畳モードと、前記表示画面上に表示される前記撮像画像の変化に追従して、前記撮像画像の所定範囲に前記重畳情報を重畳する第２の重畳モードとの一方を、前記受信手段によって受信される前記パラメータに応じて選択して前記撮像画像に前記重畳情報を重畳する重畳手段と
を有することを特徴とする通信装置。
【請求項２】
撮像手段によって撮像される撮像画像に重畳情報を重畳する重畳モードを設定するためのパラメータを設定装置から受信する受信手段と、
前記撮像画像の表示画面上での所定位置に前記重畳情報を重畳する第１の重畳モードと、前記撮像手段の撮像範囲又は撮像画像の変化に応じた前記表示画面上での領域に前記重畳情報を重畳する第２の重畳モードとの一方を、前記受信手段によって受信される前記パラメータに応じて選択して前記撮像画像に前記重畳情報を重畳する重畳手段と
を有することを特徴とする通信装置。
【請求項３】
撮像手段の撮像方向を変化させる駆動手段を有し、
前記重畳手段は、前記撮像手段が撮像可能な撮像可能範囲上での前記重畳情報の位置を前記撮像方向の変化に応じて変化させて前記撮像画像に前記重畳情報を重畳する前記第１の重畳モードと、前記撮像可能範囲上での前記重畳情報の位置を変化させないで前記撮像画像に前記重畳情報を重畳する前記第２の重畳モードとの一方を、前記受信手段によって受信される前記パラメータに応じて選択して前記撮像画像に前記重畳情報を重畳する
ことを特徴とする請求項１又は２に記載の通信装置。
【請求項４】
前記撮像画像における所定の画像の位置を検出する検出手段を有し、
前記重畳手段が前記第２の重畳モードにより前記撮像画像に前記重畳情報を重畳する場合、前記撮像画像を表示する表示画面上での前記重畳情報の位置を前記検出手段の検出結果に応じて変化させて前記撮像画像に前記重畳情報を重畳することを特徴とする請求項１又は２に記載の通信装置。
【請求項５】
前記パラメータは、前記重畳情報を文字情報とするか又は画像情報とするかを示すパラメータ、前記重畳情報を前記文字情報とする場合の前記文字情報の種別を指定するためのパラメータ、及び、前記重畳情報を前記画像情報とする場合の画像情報の種別を指定するためのパラメータの内の少なくともいずれかを含むことを特徴とする請求項１又は２に記載の通信装置。
【請求項６】
前記パラメータは、前記重畳情報として文字情報を重畳するか否かを示すパラメータを含み、
前記重畳手段は、前記パラメータが前記重畳情報を前記文字情報とすることを示す場合には前記第１の重畳モードにより前記重畳情報の重畳を行い、前記パラメータが前記重畳情報を前記文字情報としないことを示す場合には前記第２の重畳モードにより前記重畳情報の重畳を行うことを特徴とする請求項１又は２に記載の通信装置。
【請求項７】
前記パラメータは、前記重畳情報として重畳する文字情報の種別を指定するためのパラメータを含み、
前記重畳手段は、前記パラメータが前記重畳情報として特定の種別の文字情報を指定するパラメータである場合には前記第２の重畳モードにより前記重畳情報の重畳を行い、前記パラメータが前記重畳情報として前記特定の種別以外の種別の文字情報を指定するパラメータである場合には前記第１の重畳モードにより前記重畳情報の重畳を行うことを特徴とする請求項１又は２に記載の通信装置。
【請求項８】
前記パラメータは、前記重畳する画像の種別を指定するためのパラメータを含み、
前記重畳手段は、前記パラメータが前記重畳情報として特定の種別の画像を指定するパラメータである場合には前記第２の重畳モードにより前記重畳情報の重畳を行い、前記パラメータが前記特定の種別以外の種別の画像を指定するパラメータである場合には前記第１の重畳モードにより前記重畳情報の重畳を行うことを特徴とする請求項１又は２に記載の通信装置。
【請求項９】
前記パラメータは、前記第１のモードか前記第２のモードを指定するパラメータであることを特徴とする請求項１又は２に記載の通信装置。
【請求項１０】
前記受信手段は、前記重畳情報を重畳する位置を示すパラメータを受信することを特徴とする請求項１又は２に記載の通信装置。
【請求項１１】
撮像手段によって撮像される撮像画像に重畳情報を重畳する重畳モードを設定するためのパラメータを外部の装置に送信する設定装置であって、
前記撮像画像の表示画面上での所定位置に前記重畳情報を重畳する第１の重畳モード、及び、前記表示画面上に表示される前記撮像画像の変化に追従して、前記撮像画像の所定範囲に前記重畳情報を重畳する第２の重畳モードを設定する設定手段と、
前記設定手段により前記第１の重畳モードが設定される場合と、前記第２の重畳モードが設定される場合とで、前記パラメータを異ならせて前記外部の装置に送信する送信手段と、
前記重畳情報を重畳された撮像画像を前記外部の装置から受信する受信手段と
を有することを特徴とする設定装置。
【請求項１２】
撮像手段によって撮像される撮像画像に重畳情報を重畳する重畳モードを設定するためのパラメータを設定装置から受信する受信ステップと、
前記撮像画像の表示画面上での所定位置に前記重畳情報を重畳する第１の重畳モードと、前記表示画面上に表示される前記撮像画像の変化に追従して、前記撮像画像の所定範囲に前記重畳情報を重畳する第２の重畳モードとの一方を、前記受信手段によって受信される前記パラメータに応じて選択して前記撮像画像に前記重畳情報を重畳する重畳ステップと
を有することを特徴とする通信方法。
【請求項１３】
撮像手段によって撮像される撮像画像に重畳情報を重畳する重畳モードを設定するためのパラメータを設定装置から受信する受信ステップと、
前記撮像画像の表示画面上での所定位置に前記重畳情報を重畳する第１の重畳モードと、前記撮像手段の撮像範囲又は撮像画像の変化に応じた前記表示画面上での領域に前記重畳情報を重畳する第２の重畳モードとの一方を、前記受信手段によって受信される前記パラメータに応じて選択して前記撮像画像に前記重畳情報を重畳する重畳ステップと
を有することを特徴とする通信方法。
【請求項１４】
撮像手段によって撮像される撮像画像に重畳情報を重畳する重畳モードを設定するためのパラメータを外部の装置に送信する送信方法であって、
前記撮像画像の表示画面上での所定位置に前記重畳情報を重畳する第１の重畳モード、及び、前記表示画面上に表示される前記撮像画像の変化に追従して、前記撮像画像の所定範囲に前記重畳情報を重畳する第２の重畳モードを設定する設定ステップと、
前記設定ステップにより前記第１の重畳モードが設定される場合と、前記第２の重畳モードが設定される場合とで、前記パラメータを異ならせて前記外部の装置に送信する送信ステップと、
を有することを特徴とする設定方法。
【請求項１５】
コンピュータに、
撮像手段によって撮像される撮像画像に重畳情報を重畳する重畳モードを設定するためのパラメータを設定装置から受信する受信工程と、
前記撮像画像の表示画面上での所定位置に前記重畳情報を重畳する第１の重畳モードと、前記表示画面上に表示される前記撮像画像の変化に追従して、前記撮像画像の所定範囲に前記重畳情報を重畳する第２の重畳モードとの一方を、前記受信工程において受信される前記パラメータに応じて選択して前記撮像画像に前記重畳情報を重畳する重畳工程と
を実行させるためのプログラム。
【請求項１６】
コンピュータに、
撮像手段によって撮像される撮像画像に重畳情報を重畳する重畳モードを設定するためのパラメータを設定装置から受信する受信工程と、
前記撮像画像の表示画面上での所定位置に前記重畳情報を重畳する第１の重畳モードと、前記撮像手段の撮像範囲又は撮像画像の変化に応じた前記表示画面上での領域に前記重畳情報を重畳する第２の重畳モードとの一方を、前記受信工程において受信される前記パラメータに応じて選択して前記撮像画像に前記重畳情報を重畳する重畳工程と
を実行させるためのプログラム。
【請求項１７】
撮像手段によって撮像される撮像画像に重畳情報を重畳する重畳モードを設定するためのパラメータを外部の装置に送信する設定装置のコンピュータに、
前記撮像画像の表示画面上での所定位置に前記重畳情報を重畳する第１の重畳モード、及び、前記表示画面上に表示される前記撮像画像の変化に追従して、前記撮像画像の所定範囲に前記重畳情報を重畳する第２の重畳モードを設定する設定工程と、
前記設定工程により前記第１の重畳モードが設定される場合と、前記第２の重畳モードが設定される場合とで、前記パラメータを異ならせて前記外部の装置に送信する送信工程と、
を実行させるためのプログラム。
【手続補正２】
【補正対象書類名】明細書
【補正対象項目名】発明の名称
【補正方法】変更
【補正の内容】
【発明の名称】通信装置、設定装置、通信方法、設定方法、及び、プログラム
【手続補正３】
【補正対象書類名】明細書
【補正対象項目名】００１０
【補正方法】変更
【補正の内容】
【００１０】
上記課題を解決するために、本発明による通信装置は、例えば、  撮像手段によって撮像される撮像画像に重畳情報を重畳する重畳モードを設定するためのパラメータを設定装置から受信する受信手段と、前記撮像画像の表示画面上での所定位置に前記重畳情報を重畳する第１の重畳モードと、前記表示画面上に表示される前記撮像画像の変化に追従して、前記撮像画像の所定範囲に前記重畳情報を重畳する第２の重畳モードとの一方を、前記受信手段によって受信される前記パラメータに応じて選択して前記撮像画像に前記重畳情報を重畳する重畳手段とを有する。
【手続補正４】
【補正対象書類名】明細書
【補正対象項目名】００１１
【補正方法】変更
【補正の内容】
【００１１】
または、上記課題を解決するために、本発明による通信装置は、例えば、撮像手段によって撮像される撮像画像に重畳情報を重畳する重畳モードを設定するためのパラメータを設定装置から受信する受信手段と、前記撮像画像の表示画面上での所定位置に前記重畳情報を重畳する第１の重畳モードと、前記撮像手段の撮像範囲又は撮像画像の変化に応じた前記表示画面上での領域に前記重畳情報を重畳する第２の重畳モードとの一方を、前記受信手段によって受信される前記パラメータに応じて選択して前記撮像画像に前記重畳情報を重畳する重畳手段とを有する。
【手続補正５】
【補正対象書類名】明細書
【補正対象項目名】００１２
【補正方法】変更
【補正の内容】
【００１２】
または、上記課題を解決するために、本発明による設定装置は、例えば、撮像手段によって撮像される撮像画像に重畳情報を重畳する重畳モードを設定するためのパラメータを外部の装置に送信する設定装置であって、前記撮像画像の表示画面上での所定位置に前記重畳情報を重畳する第１の重畳モード、及び、前記表示画面上に表示される前記撮像画像の変化に追従して、前記撮像画像の所定範囲に前記重畳情報を重畳する第２の重畳モードを設定する設定手段と、前記設定手段により前記第１の重畳モードが設定される場合と、前記第２の重畳モードが設定される場合とで、前記パラメータを異ならせて前記外部の装置に送信する送信手段と、前記重畳情報を重畳された撮像画像を前記外部の装置から受信する受信手段とを有する。